(57)【特許請求の範囲】
【請求項１】
収納キャビネットと、前記収納キャビネット内に設けた収納ラックと、前記収納ラックを昇降するアームを有する昇降支持ユニットと、前記収納キャビネットを開閉する扉体と、前記扉体の閉塞手段と、前記収納ラックの昇降に連動して前記扉体を開閉する連動手段とを備え、
前記扉体は、少なくとも左右いずれか一方に開閉するものであり、
前記連動手段は、前記扉体の開放手段と、前記収納ラックの側板に一体成形されるとともに前記扉体に当接して前記扉体の開放を維持する当接手段を有し、
前記当接手段と前記収納ラックの最上部とは、前記収納ラックの最大降下位置において前記扉体の下端より上方に位置する昇降式収納装置。
【請求項２】
前記当接手段は、球形状である請求項１に記載の昇降式収納装置。
【請求項３】
前記扉体は、前記収納キャビネットの前面全てを閉塞するものである請求項１または請求項２に記載の昇降式収納装置。
【請求項４】
前記収納ラックは、前記収納キャビネットの下方に突設させた昇降用ハンドルを有する請求項１から請求項３のいずれか一つに記載の昇降式収納装置。
【請求項５】
前記閉塞手段は、ヒンジ内に付勢手段を有するものである請求項１から請求項４のいずれか一つに記載の昇降式収納装置。
【請求項６】
前記収納ラックは、第１収納部と、前記第１収納部よりも幅広で前記第１収納部の上方に設けた第２収納部とを有する請求項１から請求項５のいずれか一つに記載の昇降式収納装置。
【請求項７】
前記収納キャビネット内において、前記第２収納部は、前記昇降支持ユニットの上方に位置する請求項６に記載の昇降式収納装置。
【発明の詳細な説明】
【０００１】
【発明の属する技術分野】
本発明はキッチンなどで使用する昇降式収納装置に関する。
【０００２】
【従来の技術】
従来この種の昇降式収納装置としては、例えば特開平７−３０３５３４号公報等に記載されるようなものがあり、図７は外観斜視図である。図７に示したように、従来の昇降式収納装置は、収納キャビネット１と、収納キャビネット１内に設けた収納ラック２と、収納ラック２を昇降自在に支持する回転アーム３、４を有する一対の昇降支持装置５とで構成されていた。
【０００３】
収納ラック２は、回転アーム３、４の回動動作により昇降させることができ、収納キャビネット１の前方に設けた扉体６を把手７を操作して開放した後、昇降操作用のハンドル８を持って収納ラック２を引き降ろすことにより、高所に設置された収納キャビネット１から収納ラック２を降下させて、収納物を低い位置で出し入れすることができるようになっていた。なお、この種の昇降式収納装置では、図７に示したように、扉体６を横開きする構成が大半を占めるものである。
【０００４】
【発明が解決しようとする課題】
しかしながら、上記従来の昇降式収納装置では、扉体６の開閉操作と収納ラック２の昇降操作とが別操作となり、収納ラック２内の収納物の出し入れ時には、まず扉体６を開放する、収納ラック２を降下する、また収納ラック２を上昇する、扉体６を閉塞するという昇降に各２回、計４回の操作が必要という課題を有していた。
【０００５】
また、ハンドル８が収納キャビネット１の中にあり、身長の低い人にはハンドル８に手が届きにくく、爪先立ちをするなどして操作的に不安定という課題を有していた。
【０００６】
本発明は、上記従来の課題を解決もので、収納ラックの昇降に連動して扉体を開閉する連動手段を備えることにより、操作効率の良い昇降式収納装置の提供を目的とする。
【０００７】
【課題を解決するための手段】
上記従来の課題を解決するために、本発明の昇降式収納装置は、収納キャビネットを開閉する扉体と、扉体の閉塞手段と、収納ラックの昇降に連動して扉体を開閉する連動手段とを備えたものである。これにより収納ラックの昇降に連動して扉体を開閉することができるとともに、収納ラックの昇降操作をそれぞれ１回の操作で行うものである。
【０００８】
請求項１に記載の発明は、収納キャビネットと、前記収納キャビネット内に設けた収納ラックと、前記収納ラックを昇降するアームを有する昇降支持ユニットと、前記収納キャビネットを開閉する扉体と、前記扉体の閉塞手段と、前記収納ラックの昇降に連動して前記扉体を開閉する連動手段とを備え、前記扉体は、少なくとも左右いずれか一方に開閉するものであり、前記連動手段は、前記扉体の開放手段と、前記収納ラックの側板に一体成形されるとともに前記扉体に当接して前記扉体の開放を維持する当接手段を有し、前記当接手段と前記収納ラックの最上部とは、前記収納ラックの最大降下位置において前記扉体の下端より上方に位置するものである。これにより、収納ラックの昇降に連動して扉体を開閉することができるとともに、収納ラックの昇降操作をそれぞれ１回の操作で行うことができ、操作効率の良い昇降式収納装置を提供することができる。
【００１１】
請求項２に記載の発明は、さらに、前記当接手段は、球形状である当接手段を球形状としたものである。これにより、当接手段と扉体とをポイント的な接触にすることができ、その接触抵抗を低減することができる。
【００１２】
請求項３に記載の発明は、さらに、前記扉体は、前記収納キャビネットの前面全てを閉塞するものである。これにより、扉体によって害虫の侵入を防止することができるとともに、既設の収納装置がある家庭においても外観的に違和感のない昇降式収納装置を提供することができる。
【００１３】
請求項４に記載の発明は、さらに、前記収納ラックは、前記収納キャビネットの下方に突設させた昇降用ハンドルを有するものである。これにより、身長の低い人にもハンドルに届きやすくすることができ、収納ラックの昇降時における操作性を向上することができる。
【００１６】
請求項５に記載の発明は、さらに、前記閉塞手段は、ヒンジ内に付勢手段を有するものであるヒンジ内に付勢手段を有するものである。これにより、収納ラックの上昇格納時に扉体が連動手段に当接して、おのずと確実に閉塞することができる。
【００１８】
請求項６に記載の発明は、さらに、前記収納ラックは、第１収納部と、前記第１収納部よりも幅広で前記第１収納部の上方に設けた第２収納部とを有するものである。これにより、第２収納部の収納容積を拡大することができるとともに、収納効率の良い昇降式収納装置を提供することができる。
【００１９】
請求項７に記載の発明は、さらに、前記収納キャビネット内において、前記第２収納部は、前記昇降支持ユニットの上方に位置するものである。これにより、収納ラックの昇降時に昇降支持ユニットとの接触を避けることができるとともに、第２収納部の幅寸法を最大限に大きくすることができ、収納キャビネット内の空間を十分に活用することができる。
【００２０】
【実施例】
以下、本発明の実施例について図１〜図５を参照しながら説明する。
【００２１】
（実施例１）
図１は本発明の実施例１の昇降式収納装置における収納ラックの降下状態を示す側断面図、図２は同収納装置における収納ラックの格納状態を示す正面図、図３は同収納装置における収納ラックの昇降時において、扉体の半開き状態を示す平面断面図、図４は図１の平面断面図、図５は同収納装置における収納ラックの降下状態を示し、キッチンへの設置例を示す側断面図である。
【００２２】
図１から図５において、１１はキッチンなどの壁面上方に設置された収納キャビネットであり、この収納キャビネット１１の内側の両側面には、前方に収納キャビネット１１の底板１２との接触を回避するために屈曲し、先端を再度逆方向に屈曲した略Ｓの字形状の第１回転アーム１３と、後方に略Ｓの字形アーム１３との接触を回避した略Ｌの字形状の第２回転アーム１４の２本が、同一平面上に設置されるとともに、第１回転アーム１３と第２回転アーム１４とを回転可能に枢支する昇降支持ユニット１５が構成されている。また、こうして第１回転アーム１３を略Ｓの字形状にすることにより、第２回転アーム１４の先端との接触も回避される。
【００２３】
１６は昇降支持ユニット１５の外部に配設されゴム状の緩衝材１７を有したストッパーであり、第２回転アーム１４の回動角度を規制するように構成される。１８は左右に対向する第１回転アーム１３の基部間を連結する連動連結軸で、この連動連結軸１８により両第１回転アーム１３が同体回動するように構成される。
【００２４】
１９は収納キャビネット１１の前方に設置され収納キャビネット１１の前面全てを閉塞する扉体で、開閉用のヒンジ２０により左右に自在に開閉されるとともに、このヒンジ２０の内部には扉体１９の閉塞手段として、扉体１９を閉塞側に付勢するねじりばねなどの付勢手段２１が構成され、また扉体１９の外にはこの扉体１９を手動で開閉する把手２２が構成される。
【００２５】
２３は通常、収納キャビネット１１及び扉体１９内に格納される収納ラックで、底面２４を前面から背面部まで平面形状に構成する本体２５と、本体２５に連結する合成樹脂などよりなる両サイドの側板２６と、収納ラック２３に内設される線材よりなる棚部材２７により構成される。また側板２６には、収納ラック２３の昇降に連動して扉体１９を開閉する連動手段２８として、それぞれ球形状をした扉体１９の開放手段２９と扉体１９との当接手段３０が一体成形により構成されている。
【００２６】
３１は両側板２６間を連結する角パイプなどよりなる昇降操作用のハンドルで、このハンドル３１は、位置的に収納キャビネット１１及び扉体１９の下方に突設するように構成される。またこのハンドル３１は、両手をそろえて握ることのできる幅以上で、好ましくは肩幅程度の長さで、握り部３２はその径が成人女性が順手で握ることができる大きさで、収納ラックの昇降動作時に力をかけやすくしてあり、樹脂成形などにより構成されている。
【００２７】
また両側板２６間の上方は収納高さを規制するコの字形に曲げたパイプなどよりなる横連結部材３３で連結される。この収納ラック２３は、本体２５および側板２６の上端をもって最上部３４とする。
【００２８】
昇降支持ユニット１５に枢支された第１回転アーム１３および第２回転アーム１４の先端は、支持部材３５に枢支されるとともに、収納ラック２３を形成する側板２６をこの支持部材３５と連結することにより、四辺の平行リンク機構３６が構成され、収納ラック２３は昇降自在に支持されるものである。
【００２９】
また第１、第２回転アーム１３、１４は、収納ラック２３の傾斜を防止する傾斜補正手段３７を設けている。この傾斜補正手段３７としては、第１回転アーム１３の枢支点間距離Ｒ１を、第２回転アーム１４の枢支点間距離Ｒ２に対し、数mm長く構成している。こうして平行リンク機構３６をわずかに変形させることにより、第１、第２回転アーム１３、１４の枢支点などに隙間が存在するために収納ラック２３や収納物の重量によって発生する収納ラック２３の前方への傾斜を防止するものである。
【００３０】
また昇降支持ユニット１５の内部には、第２回転アーム１４の回動、すなわち収納ラック２３の昇降に連動作用する緩衝体３８および付勢体３９の両方、あるいはいずれか一方が構成されている（図１にのみ記載）。
【００３１】
上記の構成において、収納ラック２３の降下時は、使用者がハンドル３１の握り部３２を持って収納ラック２３の引き降ろしを開始すると、まず開放手段２９によって扉体１９が押し開けられるとともに、その後この開放手段２９と当接手段３０によって扉体１９の開放が維持される。
【００３２】
収納ラック２３は昇降支持ユニット１５が回転可能に枢支する第１、第２回転アーム１３、１４が構成する平行リンク機構３６と傾斜補正手段３７により、常に水平状態で図１に一点鎖線で示す如く円弧状に回動して、最大降下位置に降下される。この間緩衝体３８、付勢体３９は、収納ラック２３がゆっくり降下するように作用する。
【００３３】
この実施例では、ストッパー１６によって収納ラック２３は、その最上部３４が収納キャビネット１１の底板１２の高さと略同等高さに、また当接手段３０が扉体１９と当接を維持する高さで停止するように構成されている。
【００３４】
そして、収納ラック２３の最大降下位置で収納物を出し入れした後、収納ラック２３の上昇格納時は、再度握り部３２を持って収納ラック２３を押し上げると、収納ラック２３は降下時と同様に円弧状に回動して上昇するとともに、ヒンジ２０に構成した閉塞手段２１によって扉体１９の当接手段３０と開放手段２９との当接が継続され、扉体１９は徐々に閉塞される。
【００３５】
最後は、収納キャビネット１１内でストッパー１６により所定位置で停止し格納されるとともに、扉体１９も閉塞手段２１によっておのずと確実に閉塞されるものである。この間付勢体３９は、収納ラック２３を上昇する際の操作力が小さくなるように作用する。
【００３６】
次に本発明の昇降式収納装置の設置例について説明する。
【００３７】
図５に示すように、収納キャビネット１１は、標準的なウォールキャビネットを想定し、外形寸法で高さ７００mm、奥行３５０mmを採用した。収納キャビネット１１の標準設置高さは、昇降式収納装置の下方に設置するフロアキャビネット４０などとの距離的な関係で、床面４１から収納キャビネット１１の天面４２まで２３００mm前後が一般的である。したがって、床面４１から収納キャビネット１１の底板１２までの距離（Ａ）は、１６００mmとなり、昇降操作用のハンドル３１はさらに低い位置となる。
【００３８】
またこの収納キャビネット１１に格納される収納ラック２３および横連結部材３３の総高さ（Ｂ）は、約６００mmである。収納ラック２３の最大降下位置において、収納ラック２３の最上部３４と収納キャビネット１１の底板１２の高さを、略同等高さに構成すると、収納キャビネット１１の底板１２から収納ラック２３の底面２４までの距離（Ｃ）は、４５０mm前後となる。
【００３９】
したがって、収納ラック２３の最大降下位置において、床面４１から収納ラック２３の底面２４までの距離（Ｄ）は、１１５０mm前後となる。また、同じく床面４１から横連結部材３３までの距離（Ｅ）は、１７５０mm前後となる。また、この時収納ラック２３の棚部材２７の高さは、床面４１から１４００mm前後となり、成人女性（老人を除く）の約９０％の目線と同等高さになるように構成されている。
【００４０】
出し入れ可能な高さは、およそ両腕を上げた状態の親指の高さまでであり、指関節までの高さとすることができる。成人女性（老人を除く）では、指先までの高さ（上肢拳上指先端高）から指先の長さ（第三指長）を引いた１０パーセンタイル値は１８００mmであり、すなわち、本昇降式収納装置の設置例では、約９０％の成人女性が収納ラック２３の最上部３４以上、横連結部材３３まで手が届き、収納物を出し入れすることができるとともに、収納ラック２３の全収納容積を有効に活用することができる。
【００４１】
以上のように、収納キャビネット１１を開閉する扉体１９と、扉体１９の閉塞手段２１と、収納ラック２３の昇降に連動して扉体１９を開閉する連動手段２８とを備えたことにより、収納ラック２３の昇降に連動して扉体１９を開閉することができるとともに、収納ラック２３の昇降操作をそれぞれ１回の操作で行うことができ、操作効率の良い昇降式収納装置を提供することができる。
【００４２】
また、連動手段２８に扉体１９の開放手段２９と扉体１９との当接手段３０を備えたことにより、収納ラック２３の降下時に、まず開放手段２９で扉体１９を開放することができるとともに、当接手段３０によって扉体１９の開放を維持することができる。
【００４３】
また、連動手段２８を収納ラック２３を形成する側板２６に備えたことにより、合成樹脂などよりなる側板２６に連動手段２８を一体成形することができるとともに、新たな部材などが必要なく、側板２６内で安価にかつ強固な連動手段２８を構成することができる。
【００４４】
また、連動手段２８を球形状としたことにより、連動手段２８と扉体１９とをポイント的な接触にすることができ、その接触抵抗を低減することができる。
【００４５】
また、扉体１９により収納キャビネット１１の前面全てを閉塞する構成としたことにより、扉体１９によって害虫の侵入を防止することができるとともに、既設の収納装置がある家庭においても外観的に違和感のない昇降式収納装置を提供することができる。
【００４６】
また、収納ラック２３を昇降するハンドル３１を収納キャビネット１１及び扉体１９の下方に突設したことにより、身長の低い人にもハンドル３１に届きやすくすることができ、収納ラック２３の昇降時における操作性を向上することができる。
【００４７】
また、ハンドル３１を両手で操作が可能な大きさとしたことにより、比較的重量のある収納物の昇降においても両手を添え、楽に操作を行うことができる。
【００４８】
また、ハンドル３１に径が適度な大きさの握り部３２を構成したことにより、作業者が昇降動作時に必要な力を無駄なくかけられるので収納ラック２３の昇降時における操作性をさらに向上することができる。
【００４９】
また、閉塞手段２１を扉体１９を開閉するヒンジ２０に備えたことにより、閉塞手段２１の露出を防止できるとともに、収納ラック２３の上昇格納時に扉体１９が連動手段２８に当接して、おのずと確実に閉塞することができる。
【００５０】
また、扉体１９に手動で開閉する把手２２を備えたことにより、把手２２により扉体１９を単独に開けることができ、一々収納ラック２３の降下操作を行わなくても、収納ラック２３内の収納物の確認を容易に行うことができる。
【００５１】
なお、前述した実施例においては、扉体１９を左右両方に開放する場合で説明したが、左右いずれか一方へ開放する構成においても同様に実施することができる。
【００５２】
（実施例２）
図６は本発明の実施例２の昇降式収納装置における収納ラックの格納状態を示す正面図である。
【００５３】
実施例１と異なる点は、収納ラック４３に第１収納部４６と幅広の第２収納部４７を備えた点である。
【００５４】
なお、前記実施例と同一の構成については同一番号を附記して説明を省略する。
【００５５】
４３は収納ラックで、本体４４とこの本体４４に連結する合成樹脂などよりなる両サイドの側板４５により第１収納部４６と、格納時において昇降支持ユニット１５より上方を幅広に構成した第２収納部４７とを備えている。本体４４は第１収納部４６の底面４８を前面から背面部まで平面形状で構成される。
【００５６】
４９は収納ラック４３に内設される線材よりなる棚部材で、収納物の載置面は第２収納部４７の底面５０と同等高さに構成される。
【００５７】
以上のように、収納ラック４３に第１収納部４６と幅広の第２収納部４７を備えたことにより、第２収納部４７の収納容積を拡大することができるとともに、収納効率の良い昇降式収納装置を提供することができる。
【００５８】
また、第２収納部４７を昇降支持ユニット１５の上方に備えたことにより、収納ラック４３の回動昇降時に昇降支持ユニット１５との接触を避けることができるとともに、第２収納部４７の幅寸法を最大限に大きくすることができ、収納キャビネット１１内の空間を十分に活用することができる。
【００５９】
【発明の効果】
以上のように、請求項１〜１２に記載の発明によれば、収納キャビネットを開閉する扉体と、扉体の閉塞手段と、収納ラックの昇降に連動して扉体を開閉する連動手段とを備えることにより、収納ラックの昇降に連動して扉体を開閉することができるとともに、収納ラックの昇降操作をそれぞれ１回の操作で行うことができ、操作効率の良い昇降式収納装置を提供することができる。
【図面の簡単な説明】
【図１】本発明の実施例１の昇降式収納装置における収納ラックの降下状態を示す側断面図
【図２】同収納装置における収納ラックの格納状態を示す正面図
【図３】同収納装置における収納ラックの昇降時において、扉体の半開き状態を示す平面断面図
【図４】図１の平面断面図
【図５】同収納装置における収納ラックの降下状態を示し、キッチンへの設置例を示す側断面図
【図６】本発明の実施例２の昇降式収納装置における収納ラックの格納状態を示す正面図
【図７】従来の昇降式収納装置における外観斜視図
【符号の説明】
１１  収納キャビネット
１３  第１回転アーム
１４  第２回転アーム
１５  昇降支持ユニット
１９  扉体
２０  ヒンジ
２１  閉塞手段（付勢手段）
２２  把手
２３  収納ラック
２６  側板
２８  連動手段
２９  開放手段
３０  当接手段
３１  ハンドル
３２  握り部
４６  第１収納部
４７  第２収納部
【図１】
0004144194.tif 000002
【図２】
0004144194.tif 000003
【図３】
0004144194.tif 000004
【図４】
0004144194.tif 000005
【図５】
0004144194.tif 000006
【図６】
0004144194.tif 000007
【図７】
0004144194.tif 000008